(57)【要約】エスカレーター駆動アセンブリー（３０）は、駆動アセンブリーの正常運転が中断されたとき、すなわちブレーキを作動すべきときに、これを検知するセンサーを含む。一つの実施例ではフランジ（４２）の形をしたセンサー部材（４０）が駆動プーリー（３４）に連係しており、通常は駆動プーリーに一致して回転している。しかしながら駆動機構の正常運転に故障が生じたときは、センサー部材（４０）と駆動プーリー（３４）との間に相対移動が起こる。好ましくはこの相対移動がスイッチ（８０）を作動させて、駆動機構（３０）の正常運転に故障が生じたことを示す信号を与える。他の実施例のセンサーは駆動ベルト（３５）に係合するセンサー部材（２０２、２１２）を含む。ベルト（３５）が破断したときはセンサー部材（２０２、２１２）が移動してベルトが破断した状態の指示を与える。この発明を利用してブレーキ作動の種々の適用モードが可能である。
2006509695.tif 000002
【特許請求の範囲】
【請求項１】
モーターと、
モーターからの原動力に応答して動く駆動部材と、
駆動部材に係合する被駆動部材であって、駆動部材の動きに応答して移動し、これにより乗客コンベヤーの移動をもたらす、被駆動部材と、
駆動アセンブリーの望ましくない状態の指示を与えるように移動するセンサー部材と、
を含んだ乗客コンベヤー駆動アセンブリー。
【請求項２】
センサー部材の移動に応答して作動するブレーキを含み、かつ、該ブレーキが被駆動部材のそれ以上の移動を防止することを特徴とする請求項１記載の乗客コンベヤー駆動アセンブリー。
【請求項３】
ブレーキスイッチと、ブレーキの作動を制御する制御装置と、を含み、かつ、センサー部材の移動によってブレーキスイッチが制御装置に信号を付与することを特徴とする請求項２記載の乗客コンベヤー駆動アセンブリー。
【請求項４】
駆動部材がモーターからの力に応答して回転する駆動シーブを含み、センサー部材が通常は駆動シーブとともに回転するフランジを含み、かつ、センサーの移動が駆動部材と被駆動部材との間の相対移動に対応する駆動シーブに対するフランジの回転を含むことを特徴とする請求項１記載の乗客コンベヤー駆動アセンブリー。
【請求項５】
駆動部材が駆動シーブとともに移動する駆動ベルトを含み、被駆動部材がチェーンを含み、センサー部材が複数の半径方向の突出部を有し、かつ、該突出部が、駆動部材と被駆動部材との間の相対移動に際して被駆動チェーンの対応する部分に係合することを特徴とする請求項４記載の乗客コンベヤー駆動アセンブリー。
【請求項６】
被駆動チェーンが複数のリンクを含み、かつ、各々のリンクが駆動ベルトの対応する面に係合する第一の組の歯と、相対移動の際に半径方向の突出部に係合する複数の基準面と、を有することを特徴とする請求項５記載の乗客コンベヤー駆動アセンブリー。
【請求項７】
駆動シーブとともに動くストッパー部材を含み、かつ、センサー部材が該ストッパー部材の少なくとも一部を収容するスロットを含み、かつ、駆動部材と被駆動部材との間の相対移動に応答して、センサー部材と駆動部材とが同期して動いた状態のスロット内の第一の位置から、スロット内の第二の位置に、該ストッパー部材が移動することを特徴とする請求項４記載の乗客コンベヤー駆動アセンブリー。
【請求項８】
センサー部材を駆動シーブから離れる方向に付勢する付勢部材を含み、かつ該付勢部材が、スロット内の第二の位置に向かうストッパー部材の移動に対応する方向に、駆動シーブとセンサー部材との間の相対移動を起こさせることを特徴とする請求項７記載の乗客コンベヤー駆動アセンブリー。
【請求項９】
作動位置に向かって付勢され、駆動部材と連係するピンを含み、かつ、センサー部材が駆動部材とともに動いているときはセンサー部材が該ピンを作動位置から離して保持するが、駆動部材とセンサー部材との間の相対移動に応答して、該ピンを解放して作動位置に移動させることを特徴とする請求項４記載の乗客コンベヤー駆動アセンブリー。
【請求項１０】
駆動部材がベルトを含み、かつ、該ベルトに係合するようにセンサー部材が付勢されており、該ベルトの状態が変化したときにセンサー部材が付勢力に応答して移動することを特徴とする請求項１記載の乗客コンベヤー駆動アセンブリー。
【請求項１１】
センサー部材がベルトの側面に対して付勢されているローラーを含み、該ローラーがベルトの移動に応答して軸の周りを回転し、かつ該ローラーがベルトの状態変化に応答して前記軸に対して横方向に移動し、この横方向の移動が前記ベルトの状態変化の指示を与えることを特徴とする請求項１０記載の乗客コンベヤー駆動アセンブリー。
【請求項１２】
センサー部材がベルトの内側面に対して付勢されているローラーを含み、該ローラーがベルトの移動に応答して軸の周りを回転し、かつ該ローラーがベルトの状態変化に応答して前記軸に対して横方向に移動し、この横方向の移動が前記ベルトの状態変化の指示を与えることを特徴とする請求項１０記載の乗客コンベヤー駆動アセンブリー。
【請求項１３】
駆動部材がモーターによって駆動されるプーリー部材を含み、かつ、被駆動部材が、係合部材によって係合された複数のリンクを有する踏段チェーンを含み、これによって踏段チェーンが駆動部材の動きに応答して移動し、
前記センサー部材は、プーリー部材の動きに一致して回転するとともに、
前記センサー部材は、踏段チェーンとプーリー部材との間の相対移動に応答して、踏段チェーンの共働的な部分に係合し、プーリー部材に対して移動することを特徴とする請求項１記載の乗客コンベヤー駆動アセンブリー。
【請求項１４】
駆動部材がプーリー部材の動きに応答して移動するベルトを含み、かつ、前記ベルトは複数の歯を有し、該歯は踏段チェーンリンクの対応する歯に係合することを特徴とする請求項１３記載の乗客コンベヤー駆動アセンブリー。
【請求項１５】
モーターに連係するブレーキを含み、かつ該ブレーキが、プーリー部材とセンサー部材との間の相対移動に応答して作動することを特徴とする請求項１３記載の乗客コンベヤー駆動アセンブリー。
【請求項１６】
プーリー部材の回転軸と平行な方向であって、プーリー部材から離れる方向に、センサー部材を付勢する付勢部材を含み、かつ、プーリー部材から離れる方向にセンサー部材を移動させ、プーリー部材とセンサー部材との間の相対移動の指示を与えるように、該付勢部材が作用することを特徴とする請求項１３記載の乗客コンベヤー駆動アセンブリー。
【請求項１７】
踏段チェーンリンクが基準面を含み、センサー部材が複数の半径方向の突出部を有するフランジを含み、かつ該突出部が踏段チェーンとプーリーとの間の相対移動に応答して前記基準面に係合することを特徴とする請求項１３記載の乗客コンベヤー駆動アセンブリー。
【請求項１８】
駆動部材がモーターによって駆動されるプーリー部材と、プーリー部材の動きに応答して移動するベルトと、を含み、被駆動部材が、踏段チェーンが駆動部材の動きに応答して移動するようにベルトによって係合された、複数のリンクを有する踏段チェーンを含み、  前記センサー部材はベルトに向かって付勢されて該ベルトに係合し、前記センサー部材がベルトの状態変化に応答して係合位置を越えて移動し、センサー部材の係合位置を越える移動が前記ベルト状態の変化の指示を与えることを特徴とする請求項１記載の乗客コンベヤー駆動アセンブリー。
【請求項１９】
センサー部材がベルトの側面に対して付勢されているローラーを含み、該ローラーはベルトの移動に応答して軸の周りを回転し、該ローラーはベルトの状態変化に応答して前記軸に対して横方向に移動し、この横方向の移動が前記ベルトの状態変化の指示を与えることを特徴とする請求項１８記載の乗客コンベヤー駆動アセンブリー。
【請求項２０】
センサー部材がベルトの内側面に対して付勢されているローラーを含み、該ローラーがベルトの移動に応答して軸の周りを回転し、該ローラーはベルトの状態変化に応答して前記軸に対して横方向に移動し、この横方向の移動が前記ベルトの状態変化の指示を与えることを特徴とする請求項１８記載の乗客コンベヤー駆動アセンブリー。
【請求項２１】
センサーが駆動部材と被駆動部材との間の相対移動に応答して移動することを特徴とする請求項１記載の乗客コンベヤー駆動アセンブリー。
【発明の詳細な説明】
【技術分野】
【０００１】
本発明は一般にエスカレーターの駆動機構に関する。より具体的には本発明はエスカレーターの駆動機構に用いられる故障検知およびブレーキ作動の構成に関する。
【背景技術】
【０００２】
エスカレーターは、例えばビルディングの異なる階にある乗場の間で乗客を通常運搬する、乗客コンベヤーである。踏段チェーンが通常、モーター駆動アセンブリーを用いて駆動される。各種のモーター駆動アセンブリーが提案され、または現在用いられている。新規な駆動機構の導入には新規な制御装置の開発が必要である。
【０００３】
各種の状況において、ブレーキが自動的に作動してエスカレーターの踏段チェーンのそれ以上の移動を停止もしくは防止する必要がある。例えばモーターと踏段チェーンとの間の伝動に故障が生じた場合は、エスカレーター踏段の位置を制御する必要がある。モーターの駆動力がなくなれば、例えば自然の重力がエスカレーターの望ましくない移動を生じさせるであろう。
【０００４】
本発明は正常な駆動機能が失われたときにその指示を与え、かつブレーキの作動を促す、センサーおよびブレーキ作動機構を提供する。
【発明の開示】
【課題を解決するための手段】
【０００５】
一般的に言えば本発明はセンサーであり、該センサーは乗客コンベヤー駆動アセンブリーが所期の働きをしているかどうかの指示を与え、コンベヤーのそれ以上の移動を防止するようにブレーキ作動を促す。
【０００６】
本発明によって設計されたアセンブリーの一つの実施例はモーターと、モーターからの原動力に応答して動く駆動部材とを含む。被駆動部材が駆動部材によって係合されており、該被駆動部材は駆動部材の動きに応答して移動する。被駆動部材が移動すれば、その移動が乗客コンベヤーの移動を引き起こす。駆動アセンブリーの故障の際には、駆動アセンブリーの選択された部分に対してセンサー部材が相対移動する。このようなセンサー部材の移動が、例えばブレーキを作動すべきであるという指示を与える。
【０００７】
ある実施例のセンサーが、正常運転状態においては駆動部材と一致して回転する。センサー部材は、被駆動部材に係合して移動し、駆動部材と被駆動部材との間の相対運動に応答してブレーキを作動する必要があるという指示を与える。
【０００８】
一つの実施例では、駆動部材は駆動プーリーと駆動ベルトとを含む。被駆動部材は複数のリンクを有する踏段チェーンを含む。正常運転時は、駆動ベルトの歯が踏段チェーンの対応する歯に係合している。駆動部材から被駆動部材への駆動力伝達に故障が生じた場合には、少なくとも一つの踏段チェーンリンクがセンサー部材に係合する。このような状況下で、例えば駆動プーリーに連係するフランジであるセンサー部材が、駆動プーリーに対して選択された量だけ相対移動し、これによってエスカレーターを停止させる必要があるという指示を与える。
【０００９】
一つの実施例では、駆動部材に対するセンサー部材の相対移動がスイッチを作動させ、このスイッチが、エスカレーター駆動アセンブリーの正常かつ所期の運転に問題が生じたという信号を与える。このスイッチはブレーキを作動してエスカレーターシステムを停止させる役目をする。
【００１０】
他の実施例では、センサー部材は付勢されて駆動ベルトに係合する。駆動ベルトが破断すると、駆動ベルトがもはや所期の位置にないため、センサー部材が移動する。このようなセンサー部材の移動が、ブレーキを作動すべきであるという指示を与える。
【００１１】
本発明の様々な利点および特徴が、現在の最良の形態についての以下の詳細な説明から、当業者にとって明らかとなろう。
【発明を実施するための最良の形態】
【００１２】
図１に示されるエスカレーターシステム２０は一般的なエスカレーター支持構造２２を含み、該構造は例えばビルディングの各階の間で乗客を移動させるための複数の踏段２４と手摺り２６とを支持する。駆動機構３０が正常運転状態において踏段２４を選択された方向に、所望の速度で移動させるように機能する。
【００１３】
例えば図２Ａおよび図２Ｂを参照すれば、駆動機構３０は好ましくはモーターとブレーキとを有するモーターアセンブリー３２を含む。モーター３２は駆動プーリー３４に駆動力を付与する。歯付きベルト３５が好ましくはモーター３２および駆動プーリー３４によって駆動される。この実施例において、ベルトはポリウレタン材料に包み込まれた補強コードを有する。ベルトの内歯が駆動プーリー３４の外歯と共働する。
【００１４】
ベルト３５が駆動プーリー３４とアイドラープーリー３７とによって設定されるループに沿って周回する際に、ベルト３５の駆動力は、好ましくは複数の踏段チェーンリンク３６に伝達される。一つの実施例において、ベルト３５は外歯を有し、これが踏段チェーンリンク３６上の複数の共働的な形状の歯３８に係合する。正常運転状態において、ベルト３５と踏段チェーンリンク３６とは駆動プーリー３４の移動速度に基づいて一致して移動する。
【００１５】
駆動ベルト３５上の歯と、これに対応する踏段チェーンリンク３６上の歯３８との係合は、エスカレーター踏段の所望の移動を与える。なぜならば踏段チェーンリンク３６はこのような移動を起こさせるように踏段と十分に連係しているからである。したがって、踏段チェーンリンク３６が好ましくは踏段の全経路に従って移動する一方、駆動ベルト３５はこれよりもずっと短いループに沿って周回する。
【００１６】
同期バー５０がほぼ踏段の幅にわたって伸びており、これによって駆動ベルト３５と、踏段の端部と連係する一組の踏段チェーンリンク３６と、がそれぞれ同期して移動し、かくしてコンベヤーの運転を円滑かつ確実にする。
【００１７】
本発明の構成は駆動機構３０の望ましくない状態の指示を与えるセンサーを含む。この実施例では、センサーは駆動プーリー３４と連係するセンサー部材４０を含む。好ましくはセンサー部材４０は、複数の半径方向に突出した部分４４を有するフランジ本体部分４２を含む。図２Ａに図示した実施例では、センサー部材４０は実質的に星形をしている。図２Ｂの図示ではセンサー部材４０は取り外されている。
【００１８】
正常運転状態においては、センサー部材４０は駆動プーリー３４と一致して回転し、踏段チェーンの移動に影響を及ぼさない。しかしながら駆動機構の正常運転状態に故障が生じたとき、すなわち例えばベルト３５が破断または損傷したときは、駆動プーリー３４と踏段チェーンリンク３６との間に相対移動が生じる。このような状況において、少なくとも一つの踏段チェーンリンク３６の一部がセンサー部材４０の半径方向に伸びる部分４４の少なくとも一つに係合し、センサー部材４０を駆動プーリー３４に対して回転させる。このような駆動プーリー３４とセンサー部材４０との間の相対運動が、駆動アセンブリーが所望のように作動していないという指示を与える。
【００１９】
センサー部材４０と駆動プーリー３４との間の限定された相対移動を利用する一つの実施例の構成が図３および図４に示されている。この実施例では、センサー部材４０は通常、駆動プーリー３４とともに回転する。正常運転状態において同期装置６０が両者を共回り状態に維持する。
【００２０】
好ましくは、センサー部材４０は初めに駆動プーリー３４に対して配置され、つまり図示された実施例においては、駆動プーリー３４に固定されたボルトであるストッパー部材６２が、センサー部材４０に形成された実質的に円弧形のスロット６６のなかで支持面６４に当たるように配置されている。支持面６４は、ボルト６２が該面６４に当たって安定するように部分的に丸められた輪郭を好ましくは含んでいる。ボルト６２はスロット６６の一方の端部６８にあるように示されている。
【００２１】
通常はスプリング７０が、駆動プーリーの回転軸と平行な方向であって、駆動プーリー３４から離れる方向に、センサー部材４０を付勢している。初期の正常運転位置ではスプリング７０はボルト６２が支持面６４に維持されるのを助けるように働く。面６４の輪郭およびスプリング７０の付勢力は、ボルト６２をスロット６６内で移動させるのに要する力が所望の最小量になるように好ましくは設定されている。
【００２２】
図３および図４からわかるように、好ましくは複数の同期装置６０が、駆動プーリー３４およびセンサー部材４０の周りに離間して設けられている。
【００２３】
踏段チェーンリンク３６と駆動プーリー３４との間で相対移動が起こった場合は、センサー部材４０と踏段チェーンリンク３６との間の係合によって、駆動プーリー３４とセンサー部材４０との間に相対移動が生じる。このような相対移動の方向に依存して、ボルト６２は面６４を離れ、実質的に円弧形のスロット６６におけるもう一方の端部６８に摺動する。このようなボルト６２のスロット６６内における移動は、駆動プーリー３４とセンサー部材４０との間の相対回転運動の結果である。
【００２４】
図３から図５までの実施例において、センサー部材４０の半径方向の突出部４４は、好ましくは踏段チェーンリンク３６に形成された基準面７２と共働する。正常運転状態では、半径方向の突出部４４は基準面７２に追従するがこれと係合はしない。駆動プーリー３４と踏段チェーンリンク３６との間で相対移動が起こった場合は、基準面７２と半径方向の突出部４４との共働によって駆動プーリー３４とセンサー部材４０との間に相対移動が生じる。一つの実施例では、踏段チェーンリンク３６の歯３８は鋳造工程で形成され、基準面７２は別途、機械加工される。本発明はこのような構成に限定されない。踏段チェーンリンク３６とセンサー部材４０との間に共働的な移動を起こさせるような様々な設計が本発明の範囲内にあることは理解されよう。
【００２５】
スプリング７０はボルト６２がスロット６６の一方の端部６８に移動したときに、センサー部材４０を外方へ相対移動させ、これを駆動プーリー３４からさらに引き離す。好ましくはこの移動がスイッチ８０を作動させる。スイッチ８０は、踏段チェーンリンク３６と駆動プーリー３４との間に相対移動が生じたときに作動するように、好ましくはセンサー部材４０に関連して配置されている。したがってスイッチ８０の作動は、駆動プーリー３４と踏段チェーン３６との間の駆動接続関係になんらかの故障が生じたという指示を与える。
【００２６】
図示された実施例において、スイッチ８０で発生した電気信号はモーター・ブレーキアセンブリー３２を制御する制御装置８２によって受け取られる。一つの実施例では制御装置８２は前記モーターアセンブリーの一部をなす。好ましくは制御装置８２は、前記モーターアセンブリーの運転およびブレーキを制御し、かくして駆動アセンブリーの正常運転が中断された後にエスカレーター踏段２４が望ましくない状態で移動することがないようする。
【００２７】
制御装置８２は例えば一般的なマイクロプロセッサであってよく、これはスイッチ８０からの信号を解釈して、これに応じてモーター・ブレーキアセンブリー３２を制御するように適宜にプログラムされる。一つの実施例では、制御装置８２はエスカレーターシステムに既に設けられている制御装置の一部をなす。他の実施例では制御装置８２は専用のマイクロプロセッサである。本明細書を読めば、当業者は市場で入手可能な部品から選択し、コンピューターまたは制御装置を適宜にプログラムして、本発明により得られる結果を実現するために必要な機能を果たすようにすることができよう。
【００２８】
駆動機構３０になんらかの故障が起これば（例えばベルト３５が破断した場合）、駆動プーリー３４は踏段チェーンリンク３６に駆動力または制動力を及ぼさなくなるであろう。このような状況に対して、本発明の幾つかの実施例の実施態様は上述のセンサー機能とは独立して働くバックアップ機能を有する。再び図２Ｂを参照すれば、駆動プーリー３４はバックアップフランジ１００を含む。例えば図２Ａまたは図３と較べると、図２Ｂにおいては、センサー部材４０が除かれており、図２Ａおよび図３では隠れていて見えないバックアップフランジ１００を露出している。
【００２９】
好ましくはこの実施例のバックアップフランジ１００は、本出願と所有者を同じくする国際公開第ＷＯ０２０６２６９４号パンフレットの教示によって設計されている。この実施例のバックアップフランジ１００は固定式であり、駆動プーリー３４に対して静止状態に保持されている。バックアップフランジ１００は複数の歯１０２を含み、これは駆動プーリー３４、駆動ベルト３５、および踏段チェーンリンク３６の間の正常な係合が失われた場合に、踏段チェーンリンク３６の基準面７２と選択的に係合するのに適している。このような状況において、歯１０２は駆動機構３０の前記モーター・ブレーキアセンブリーの作動に基づいて駆動力または制動力を踏段チェーンリンク３６に伝達する。この実施例では歯１０２は通常は基準面７２に係合せず、駆動プーリー３４および駆動ベルト３５の回転に従って基準面に追従するのみである。
【００３０】
一つの実施例ではバックアップフランジ１００の歯１０２はセンサー４０の半径方向の突出部４４よりも少しだけ進んでいる。一つの実施例では、バックアップフランジ１００上の歯１０２の位置とセンサー部材４０上の半径方向の突出部４４との間に、好ましくは１ミリメートルの差が与えられている。この実施例では、駆動プーリー３４と踏段チェーンリンク３６との間の相対移動のためにバックアップフランジ１００に負荷がかかったときは、センサー部材の突出部４４はバックアップフランジ１００の歯１０２と整列する。両者がこのような整列状態になると、センサー部材４０がスイッチ８０を作動して制御装置８２が適当な動作をする。
【００３１】
好ましくは実施例のフランジ１００のようなバックアップフランジは、センサーの実施態様の選択とは無関係に駆動アセンブリーに含まれる。本発明により設計されたセンサーを用いてセンサー機能とバックアップ機能とを切り離すことによって、バックアップブレーキをかけるときに必要量の力を伝達しつつ、望ましくないセンサー装置の誤作動を回避することができる。
【００３２】
本発明によって設計された他のセンサー４０’が図６に図示されている。好ましくはこの実施例の動作は、センサーのフランジ部分４２’と踏段チェーンリンク３６’が係合することを除いて、図３および図４の実施例の動作とほぼ同様である。この実施例では、好ましくは踏段チェーンリンク３６’は基準面７２’を含まない。その代わりに、フランジの突出部４４’は通常は駆動ベルト３５の歯に係合している踏段チェーンリンク３６’の歯３８’と直接に係合して、駆動システムの正常運転に故障が生じたという指示を与える。その他の点ではフランジ４２’の動きおよび支持は図３および図４のフランジ４２と機能的に同じである。
【００３３】
図からわかるように駆動ベルト３５の歯１２０は半径方向の突出部４４’の前縁部１２２よりも先行しているため、該ベルトの歯１２０は踏段チェーンリンク３６’の歯３８’と係合するが、突出部４４’は、該歯３８’と係合しない。もし駆動ベルト３５が破断するかまたは磨耗して、駆動プーリー３４の駆動力が踏段チェーンに伝達されなくなると、突出部４４’が踏段チェーンリンクの歯３８’に係合する。フランジ部分４２’が駆動プーリー３４に対して相対移動すると、センサー４０’が前述のフランジ４２と類似の方法で、駆動アセンブリーの検出された状態の所望の指示を与える。
【００３４】
他の実施例のセンサーの実施態様が図７および図８に図示されている。この実施例ではセンサーがスイッチ８０と共働するピン１６０を含んでおり、前述の各実施例のようにセンサー部材４０のフランジ部分４４とスイッチ８０とが、直接の共働するわけではない。
【００３５】
この実施例の駆動プーリー３４は好ましくは収容部分１６２のなかでピン１６０を支持する。収容部分は例えば駆動プーリーに設けられたボアであってもよい。スプリングなどの付勢部材１６４がピン１６０を収容部１６２外方に付勢している。図示された実施例のピン１６０は、ベース部分１６６と突出アーム１６８とを含む。
【００３６】
図７は収容部１６２のなかで第一の位置にあるピン１６０を図示している。センサー部材４０のソリッド（中実）部分１７０が、ピン１６０を収容部１６２のなかで引っ込んだ位置に保っている。開口部１７２がソリッド部分１７０の一方の側に設けられており、第二の開口部１７４が反対側に設けられている。センサー部材４０と駆動プーリー３４との間で相対回転が起こると、ピンのアーム１６８は収容部１６２から付勢されて対応する開口部１７２または１７４を貫通する。これは例えば図８から理解されよう。
【００３７】
図示された実施例では、ピン１６０が、センサー部材４０の開口部の一つを貫通すると、駆動プーリー３４に設けられたスロット内で摺動が許容される。このような構成は図９に概念的に図示されており、図では駆動プーリー３４の一部が示されている。収容部分１６２は駆動プーリー３４中に第一の深さまで伸びている。円弧状の溝１９０が収容部１６２に一致しているが、駆動プーリー３４の本体中に同じ深さまで伸びていない。したがって、ピンが図７に図示されるように第一の位置にあるときは、ピンは収容部１６２中に保持されている。しかしながらピン１６０がセンサー部材４０の開口部を貫通した後は、ベース１６６は溝１９０中で自由に摺動することができるので、駆動プーリー３４とセンサー部材４０との間に所望の量の相対回転が生じる。このような溝１９０内のピン１６０との前記相対回転によれば、センサー部材４０と駆動プーリー３４との間の相対移動に伴う力によってピンが折れたり剪断したりすることは避けられる。
【００３８】
図１０は本発明によって設計された他の実施例のセンサー構成を概念的に図示している。この実施例では、センサーはベルト３５の状態を直接監視して、少なくとも一つのベルト３５が要望どおりに働いていないという判断に応答してブレーキ装置３２を作動させるのに特に適している。この実施例では、センサー２００はローラー２０２を含み、これはベルト３５内側に係合するように付勢されている。この実施例では、コイルスプリング付勢部材２０４がローラー２０２を付勢してベルト３５の内側に係合させている。ベルトが破断したならば、ベルトはもはや駆動シーブ３４とアイドラーシーブ３７で形成されるループを周回しない。したがってローラー２０２は外方に（すなわち図示によれば上方に）動き、その方向へのローラーの移動によって指示を与える。ベルト３５がなくなったことに応答してローラー２０２が移動すると、スイッチ８０が制御装置８２に連係してブレーキ機構３２を作動させ、ブレーキ力をかける。本明細書を読んだならば、当業者は具体的な構成および具体的なシステム設計の要求に応じて、このようなブレーキ作動を達成するのに適したスイッチ部品を選択することができよう。
【００３９】
図１１はベルトセンサー２１０の他の実施例を図示している。この実施例では、ローラー２１２が支持部材２１４上に回転可能に支持されている。シャフト２１５が支持部材２１４の一方の側から伸びて、支持ブラケット２１６の開口部に収容されており、支持ブラケットは駆動アセンブリー３０を支持する構造の適当な部分に固定されている。支持部材２１４およびローラー２１２は、この実施例では二つのコイルスプリングからなる付勢部材２１８によってベルト３５に向かって付勢されている。
【００４０】
正常運転状態では、ローラー２１２はベルト３５の側面に沿って回転する。ベルトが破断または外れると、付勢部材２１８がローラー２１２を（図によれば）左方に押す。このようなローラーおよび支持ブラケット２１４の移動がスイッチ８０を作動して、制御装置８２がブレーキ３２を作動するべきであるという指示を与える。
【００４１】
図９および図１０の実施例は、ベルト３５の存在または状態を直接に監視する実施可能なセンサー構成を示している。状況によっては、ベルトが破断したかどうかだけではなく、ベルトの歯が適切に踏段チェーンリンクに係合しているかどうかを監視することが望ましい場合もある。例えばベルト３５が破断していなくても、ベルトの歯が磨耗または破損することがあるかもしれない。図３から図８までの実施例はこのような監視能力を提供する。
【００４２】
上述の各実施例はブレーキを作動すべきであることを示す信号を送るために電気が用いられるようなスイッチ作動を含んでいる。状況によっては純機械的なブレーキ作動機構が要求される場合もある。例えば多くの規約は補助ブレーキ（すなわち駆動アセンブリーのモータ・ブレーキ機構に付属するブレーキを補足するブレーキ）を作動には、機械的ブレーキ作動機構を要求している。上述の各実施例のセンサー構成はいずれも、電気的ブレーキ作動にも純機械的ブレーキ作動にも有用である。上述のように各種の実施態様におけるセンサー部材の動きはスイッチを作動させるのに有用である。幾つかの実施例では、センサー部材の動きは、ブレーキを機械的に作動させるリンク機構を動かすための物理力を付与するのに有用である。例えばセンサー部材の動きがケーブルまたは剛体のリンク部材を引っ張り、これにより、機械的ブレーキ作動構成の適当な部分を動かすようにしてもよい。
【００４３】
本発明の構成は駆動機構の一つまたは複数の部品の故障または損傷によって、駆動アセンブリーと踏段との間の正常な力の伝達が中断したときに、駆動機構に付属するブレーキまたは補助ブレーキを作動して乗客コンベヤーシステムのそれ以上の望ましくない移動を防止するのに有用である。
【００４４】
本発明はエスカレーター駆動機構のための類まれな故障表示およびブレーキ作動の構成を提供する。本発明は駆動プーリーによって作動される駆動ベルトを有するエスカレーター駆動機構に特に有用であるが、このような装置に限定されるものではない。
【００４５】
上記の説明は限定的ではなく例示的な性質のものである。当業者には、開示された実施例に対して本発明の趣旨から逸脱することなく加え得る種々の変更および改良が明らかとなろう。本発明に与えられる法的保護は以下の請求範囲を検討することによって定められる。
【図面の簡単な説明】
【００４６】
【図１】図１は本発明によって設計されたエスカレーターシステムを図示する概略図である。
【図２Ａ】図２Ａは、本発明によって設計された一実施例のセンサーを含む一実施例のエスカレーター駆動アセンブリーにおいて選択された部品をやや詳しく図示している。
【図２Ｂ】図２Ｂは、本発明によって設計された一実施例のセンサーを含む一実施例のエスカレーター駆動アセンブリーにおいて選択された部品をやや詳しく図示している。
【図３】図３は図２Ａの実施態様の選択された部分を図示している。
【図４】図４は符号４を付した円で囲った図３の一部をやや詳しく図示している。
【図５】図５は図３の実施例に用いられる踏段チェーンリンクの、選択された特徴を図示している。
【図６】図６は他の実施例のセンサーの実施態様の、選択された特徴を図示している。
【図７】図７は第一の位置にある他のスイッチ作動態様の選択された部品を図示している。
【図８】図８は第二の位置にある図７の部品を図示している。
【図９】図９は図６および図７の実施例のセンサー構成の、選択された特徴を図示する概略図である。
【図１０】図１０は本発明によって設計された他の実施例のセンサーを図示する概略図である。
【図１１】図１１は本発明によって設計された他の実施例のセンサーを図示する概略図である。
【図１】
2006509695.tif 000003
2006509695.tif 000004
2006509695.tif 000005
【図３】
2006509695.tif 000006
【図４】
2006509695.tif 000007
【図５】
2006509695.tif 000008
【図６】
2006509695.tif 000009
【図７】
2006509695.tif 000010
【図８】
2006509695.tif 000011
【図９】
2006509695.tif 000012
【図１０】
2006509695.tif 000013
【図１１】
2006509695.tif 000014
【国際調査報告】
2006509695.tif 000015